(57)【特許請求の範囲】
【請求項１】
流体を加熱するための装置であって、
制限された推進剤（Ｌ１）と過剰な推進剤（Ｅ）との間の第１の燃焼を実行する第１のバーナ（２１）と、
前記第１の燃焼からの第１の燃焼後ガス（Ｂ１）の熱が流体（Ｆ）に伝えられる第１の熱交換ユニット（１０，３１）と、
前記第１の燃焼後ガス（Ｂ１）といくらかの制限された推進剤（Ｌ２）との両者が注入され、該制限された推進剤（Ｌ２）と前記第１の燃焼後ガス（Ｂ１）中に存在する未燃焼の前記過剰な推進剤の少なくとも一部分との間の第２の燃焼を実行する少なくとも１つの第２のバーナ（２２）と、を備え、
前記第２の燃焼からの第２の燃焼後ガス（Ｂ２）は、前記流体（Ｆ）に熱を伝えるために、第２の熱交換ユニット（１０，３２）を通って流れ、
各燃焼からの燃焼後ガス（Ｂ１，Ｂ２）は、前記熱交換ユニット（１０，３１，３２）で構成されて且つ前記燃焼後ガス（Ｂ１，Ｂ２）が前記流体（Ｆ）に熱を伝える共通の全体的な熱交換器（１０）の、内部のそれぞれの燃焼後ガス管（３１，３２）の中を流れ、
前記流体は、前記燃焼後ガス管（３１，３２）の間を流れる、ことを特徴とする装置。
【請求項２】
複数のバーナ（２１〜２５）を備え、
２番目以降の順番ｎの各バーナ（２３）の中に、（ｎ−１）番目の燃焼からの（ｎ−１）番目の燃焼後ガス（Ｂ２）が、いくらかの制限された推進剤（Ｌ３）と一緒に注入され、該制限された推進剤（Ｌ３）と前記（ｎ−１）番目の燃焼後ガス（Ｂ２）中に存在する未燃焼の前記過剰な推進剤の少なくとも一部分との間のｎ番目の燃焼が、実行され、
前記ｎ番目の燃焼からのｎ番目の燃焼ガス（Ｂ３）が、前記流体（Ｆ）に熱を伝えるために、ｎ番目の熱交換ユニット（１０，３３）を通って流れる、ことを特徴とする請求項１に記載の装置。
【請求項３】
各燃焼の混合比は、当該装置にもたらす温度（Ｔ１〜Ｔ５）が当該装置（１）の材料の耐熱性によって定められる最高温度を超えないような方式で調節される、ことを特徴とする請求項１または２に記載の装置。
【請求項４】
バーナ（２１〜２５）の数と、バーナに注入される制限された推進剤（Ｌ１〜Ｌ５）および過剰な推進剤（Ｅ）の量とは、前記過剰な推進剤が最後の燃焼後に実質的に完全に燃焼しているような数と量とである、ことを特徴とする請求項１〜３のいずれか一項に記載の装置。
【請求項５】
前記バーナ（２１，２２）は、前記全体的な熱交換器（１０）の一方の側（１５）に沿って整列され、
前記燃焼後ガス（Ｂ１，Ｂ２）は、Ｕ字形の燃焼後ガス管（３１，３２）中で前記全体的な熱交換器（１０）を通過することによって、あるバーナ（２１）から別のバーナ（２２）に流れる、ことを特徴とする請求項１〜４のいずれか一項に記載の装置。
【請求項６】
前記全体的な熱交換器（１０）は、前記燃焼後ガス（Ｂ１〜Ｂ５）と前記流体（Ｆ）との間の界面に位置する熱交換部材（４０，４００）を備える、ことを特徴とする請求項１〜５のいずれか一項に記載の装置。
【請求項７】
前記熱交換部材は、前記燃焼後ガス管（３１〜３５）の周囲および／または内側に配置された螺旋状のフィン（４０）であることを特徴とする請求項６に記載の装置。
【請求項８】
前記全体的な熱交換器（１０）は、組み合わせられて且つシールを設けられる２つの半ケーシングで構成される、ことを特徴とする請求項１〜７のいずれか一項に記載の装置。
【請求項９】
流体を加熱するための請求項１〜８のいずれか一項に記載の装置（１）を備えることを特徴とするロケット発射装置。
【発明の詳細な説明】
【技術分野】
【０００１】
本発明は、液化した流体を加熱し、特には気化させて過熱するための、流体を加熱するための装置に関し、さらに本発明は、そのような装置を備えるロケット発射装置にも関する。
【０００２】
そのような装置は、特には気体の形態での使用が望まれる流体を気化させるために使用することができ、この装置は、典型的には、ロケット発射装置において液体推進剤を燃焼室への噴射に先立って加圧するために使用することができる。
【背景技術】
【０００３】
多数のロケット発射装置において、推進に使用される推進剤は、液体であり、典型的には液体水素（ＬＨ２）および液体酸素（ＬＯ２）であり、したがって、液体の状態でタンクに収容される。そのような発射装置において、液化した推進剤のためのタンクは、通常は、弾道飛行の段階において減圧されるが、そのような弾道段階の後でスラスタを再び作動させる場合に、液体推進剤のタンクは、推進剤の圧力がエンジンへの供給のための条件に適合するように、再び加圧される必要がある。
【０００４】
そのような加圧を実行するために、各推進剤の一部を取り出して気化させ、それぞれのタンクの上部へと気体の形態で注入することによって得られる自己生成の圧力を使用することが好都合である。この自己生成の圧力は、個別の加圧装置（典型的には、高圧下の気体ヘリウムのタンク）を設ける必要をなくすことで搭載される機器の質量を小さくするという目的を果たす。
【０００５】
この目的のため、典型的には推進にも使用される２つの推進剤の間の燃焼を実行するバーナによって高温ガスも供給される熱交換器に、液化した推進剤を通すことが、一般的な実務である。しかしながら、そのような燃焼がきわめて発熱性であるため、燃焼によって過度の熱が放出されることで温度が過度に高くなり、したがってバーナまたは熱交換器の材料を傷める結果となるため、化学量論の条件下で実行することが不可能である。
【０００６】
したがって、通常の方法はそのような化学量論の条件から遠い混合比を使用し、したがって到達する温度に材料が耐えることができるが、使用される推進剤のうちの一方のかなりの割合が未燃焼のままとなり、燃焼から由来するガス中に失われてしまう。したがって、そのような方法の効率はかなり低く、積まれた推進剤のうちのかなりの量が失われてしまう結果となる。そのような発射装置の重量および体積に関する制約に鑑み、そのような方法は不充分であると理解することができる。
【０００７】
したがって、流体を気体にするための装置であって、上述の公知の装置に固有の欠点に苦しむことがない装置について、真のニーズが存在している。
【発明の概要】
【課題を解決するための手段】
【０００８】
本発明は、流体を加熱するための装置に関し、該装置は、制限された推進剤と過剰な推進剤との間の第１の燃焼を実行する第１のバーナと、前記第１の燃焼からの第１の燃焼後ガスの熱が流体に伝えられる第１の熱交換ユニットと、前記第１の燃焼後ガスといくらかの制限された推進剤との両者が注入され、該制限された推進剤と前記第１の燃焼後ガス中に存在する未燃焼の前記過剰な推進剤の少なくとも一部分との間の第２の燃焼を実行する少なくとも１つの第２のバーナと、を備え、前記第２の燃焼からの第２の燃焼後ガスは、前記流体に熱を伝えるために、第２の熱交換ユニットを通って流れる。各燃焼からの燃焼後ガスは、前記熱交換ユニットで構成されて且つ前記ガスが前記流体に熱を伝える共通の全体的な熱交換器の、内部のそれぞれの燃焼後ガス管の中を流れ、前記流体は、前記燃焼後ガス管の間を流れる。
【０００９】
この方式で、たとえ第１の燃焼が化学量論の条件下で実行されず、したがって未燃焼の過剰な推進剤が第１の燃焼後ガス中に存在しても、この未燃焼の推進剤の一部を、第２のバーナユニットにおいて制限された推進剤との燃焼を実行することによって消費することが可能であり、したがって失われてしまう過剰な推進剤の量を相応に減らすことができる。
【００１０】
この第２の燃焼は、第１の燃焼後ガスが第１の熱交換ユニットにおいて流体に熱を伝えており、したがって冷却されているがゆえに、実行可能である。したがって、例えば第１のバーナユニットと同じ出口温度まで、第２のバーナユニットにおける再加熱が可能である。
【００１１】
したがって、第２の燃焼の終わりにおいて失われる過剰な推進剤が少なくなるため、装置の全体としての効率が改善される。したがって、一定の量の熱を生成するために、消費される推進剤が少なくて済むため、直接的な経済的節約につながるとともに、搭載すべき推進剤が少なくなることで、貯蔵の体積を削減でき、とりわけ搭載される質量が小さくなり、結果としてかなりの間接的な経済的節約が達成される。
【００１２】
さらに、流体の気化および過熱に必要な所与の量の熱について、この熱の生成を、２つのバーナの間で分担することができる。これは、特には材料にとってあまり負担にならない温度が得られるように順次の燃焼を調節することを可能にする。これは、各バーナのサイズ、したがって質量を小さくすることも可能にする。たとえ装置の総質量が増えたとしても、この増加は、上述の推進剤の質量の削減によって補償される。
【００１３】
本明細書は、主として最初は液体の状態である流体の気化、およびおそらくは過熱における使用に関するが、本発明は、当然ながら、臨界の熱力学的条件を超え、したがって加熱時に気化を観測できないが流体が超臨界状態にある用途にもあてはまる。したがって、本発明は、流体を所望の利用温度まで加熱するように働くことを理解すれば充分である。
【００１４】
ある実施形態においては、前記装置は、複数のバーナを備え、２番目以降の順番ｎの各バーナの中に、（ｎ−１）番目の燃焼からの（ｎ−１）番目の燃焼後ガスが、いくらかの制限された推進剤と一緒に注入され、該制限された推進剤と前記（ｎ−１）番目の燃焼後ガス中に存在する未燃焼の前記過剰な推進剤の少なくとも一部分との間のｎ番目の燃焼が、実行され、前記ｎ番目の燃焼からのｎ番目の燃焼ガスが、前記流体に熱を伝えるために、ｎ番目の熱交換ユニットを通って流れる。これらのバーナは、直列に配置され、したがって各バーナにおいて先行の燃焼において燃焼することがなかった過剰な推進剤の一部を消費することを可能にし、結果としての全体的な化学量論を、最良の効率をもたらす条件に近づけることを可能にする。これは、熱の生成を複数の燃焼に分散させ、したがってこれらの燃焼の各々をより良好に最適化することも可能にする。したがって、上述の利点の全てが増幅される。
【００１５】
ある実施形態においては、各燃焼の混合比は、当該装置にもたらす温度が当該装置の材料の耐熱性によって定められる最高温度を超えないような方式で調節される。この最高温度に特定の安全マージンを残しつつ近づくことができる。これは、装置の材料を傷めず、特にはバーナおよび熱交換器の材料を傷めることなく、できるだけ多くの熱を生み出すことを可能にする。この最高温度は、典型的には約９００℃である。
【００１６】
ある実施形態においては、バーナの数と、バーナに注入される制限された推進剤および過剰な推進剤の量とは、前記過剰な推進剤が最後の燃焼後に実質的に完全に燃焼しているような数と量とである。この方式で、全体としての装置において、化学量論の条件が達成され、したがって最高の効率が達成される。
【００１７】
ある実施の形態においては、（ｎ−１）番目の燃焼後ガスの他に、制限された推進剤だけがｎ番目のバーナに注入され、新たな過剰な推進剤は、注入されない。したがって、過剰な推進剤が第１のバーナに１回だけ注入されることで、過剰な推進剤をもたらすための回路が簡単化される。
【００１８】
ある実施の形態においては、装置は、５つまたは６つのバーナを備える。バーナの理想的な数は、追加の燃焼によって可能にされる節約、すなわち効率の向上および搭載すべき推進剤の質量の減少と、各々の追加のバーナに付随する質量および複雑さに関する欠点との間の妥協の結果である。この妥協は、特には材料が容認できる最高温度に依存する。
【００１９】
ある実施の形態においては、流体は、気化および過熱のための液化した推進剤である。これは、特には液化した推進剤のタンクの加圧に気化させた推進剤が用いられるロケット発射装置にあてはまる。
【００２０】
ある実施の形態においては、加圧のための推進剤は、制限された推進剤または過剰な推進剤のうちの一方と同じ物質である。この方式で、２つの異なる推進剤だけが必要であり、したがって貯蔵および分配のための機構が大幅に簡略化される。
【００２１】
ある実施の形態においては、制限された推進剤は、酸素であり、過剰な推進剤は、水素である。これらの推進剤は、航空宇宙の分野において広く使用されており、きわめて反応性に富んでいる。
【００２２】
ある実施の形態においては、酸素と水素との間の重量による混合比が、第１のバーナにおいて１に等しい。混合比は、全てのバーナに亘って下記の反応についての化学量論比に相当する８に到達できる。
２Ｈ２＋Ｏ２＝２Ｈ２Ｏ
【００２３】
ある実施の形態においては、燃焼後ガス管は、円形または矩形の断面である。
【００２４】
ある実施形態においては、前記バーナは、前記全体的な熱交換器の一方の側に沿って整列され、前記燃焼後ガスは、Ｕ字形の燃焼後ガス管中で前記全体的な熱交換器を通過することによって、あるバーナから別のバーナに流れる。これは、バーナならびにバーナの供給および制御回路の設置をより容易にする。
【００２５】
ある実施の形態においては、全体的な熱交換器は、仕切りを有するシェルアンドチューブ型熱交換器である。これらの仕切りは、三次元に延びる流体の流路を定めることで、流体が燃焼後ガス管に接触して移動する経路を長くし、したがって熱の交換を増加させる。
【００２６】
ある実施形態においては、前記全体的な熱交換器は、前記燃焼後ガスと前記流体との間の界面に位置する熱交換部材を備える。これは、熱交換の表面積を増大させることを可能にする。
【００２７】
ある実施形態においては、前記熱交換部材は、前記燃焼後ガス管の周囲および／または内側に配置された螺旋状のフィンである。これらのフィンは、熱交換の表面積を増大させるだけでなく、流体を燃焼後ガス管を巡って回転させることで、熱の交換をさらに向上させる。
【００２８】
他の実施の形態においては、これらの熱交換部材は、燃焼後ガス管の周囲および／または内側に配置された放射状のフィンである。
【００２９】
他の実施の形態においては、これらの熱交換部材は、燃焼後ガス管の周囲および／または内側に配置されたリングである。
【００３０】
ある実施の形態においては、燃焼後ガス管の断面および／または流体の通路の断面が変化する。したがって、密度または質量流量の変化を考慮し、ヘッドロスを補償するように構成することが可能である。
【００３１】
ある実施形態においては、前記全体的な熱交換器は、組み合わせられて且つシールを設けられる２つの半ケーシングで構成される。これら２つの半ケーシングを、燃焼後ガス管の全てを収容するように組み合わせることができる。この実施の形態は、組み立てが特に簡単である。
【００３２】
ある実施の形態においては、燃焼後ガスと流体とは、全体的な熱交換器において対向する流れとして流れる。
【００３３】
他の実施の形態においては、それらは、全体的な熱交換器において同じ方向の流れとして流れる。
【００３４】
他の実施の形態においては、全体的な熱交換器の特定の部分は、同じ方向の流れを有する一方で、他の部分は、対向する流れを有する。
【００３５】
特定の実施の形態においては、バーナは、インジェクタおよびスパークプラグによる点火を、自動車において用いられる構成と同様の構成にて使用する。任意の他の種類の注入および点火も使用可能である。
【００３６】
さらに、本発明は、本発明による流体を加熱するための装置を備えるロケット発射装置も提供する。
【００３７】
上述の特徴および利点、ならびに他の特徴および利点は、提案される装置の実施の形態についての以下の詳細な説明を検討することによって、明らかになる。この詳細な説明は、添付の図面を参照して行なわれる。
【図面の簡単な説明】
【００３８】
添付の図面は、概略図であり、何よりも本発明の原理を説明しようとするものである。
【００３９】
図面において、ある図と他の図とで、同一である構成要素（あるいは、構成要素の一部分）は、同じ参照符号を使用して指し示されている。
【００４０】
【図１】図１は、装置の概略の断面図である。
【図２】図２は、燃焼後のガスのための管の概略図であり、管がらせん状のフィンを備えている。
【図３】図３は、燃焼後のガスのための管の概略図であり、管が放射状のフィンを備えている。
【発明を実施するための形態】
【００４１】
本発明をより具体的にするために、典型的な装置を、以下で添付の図面を参照して詳しく説明する。本発明は、この例に限られるわけではないことを、理解すべきである。
【００４２】
図１は、装置１の概略の断面図である。装置１は、全体的な熱交換器１０と、第１のバーナ２１と、４つの他のバーナ２２、２３、２４、および２５とを備えている。
【００４３】
全体的な熱交換器１０は、入口オリフィス１１と、出口オリフィス１２と、複数の内部仕切り１３とを備えている。気化のための流体Ｆは、入口オリフィス１１を介して全体的な熱交換器１０に進入し、仕切り１３によって定められる通路１４に沿って流れ、出口オリフィス１２を介して全体的な熱交換器１０を出る。仕切り１３のアレイを、流体Ｆを入口オリフィス１１と出口オリフィス１２との間の通路１４においてより長い経路に沿って移動させるために、三次元に配置することができる。図１における両方の矢印は、全体的な熱交換器１０の通路１４において流体Ｆが進む経路を示している。
【００４４】
第１のバーナ２１は、全体的な熱交換器１０の第１の側１５に対して配置され、あるいは全体的な熱交換器１０の第１の側１５の付近に配置される。第１のバーナ２１に、典型的には水素Ｈ２である過剰な推進剤Ｅと、典型的には酸素Ｏ２である制限された推進剤Ｌ（流れＬ１）とが供給される。第１のバーナ２１における過剰な推進剤Ｅの、制限された推進剤Ｌとの燃焼により、第１の燃焼後ガスＢ１が生成され、第１の燃焼後ガス管３１に送られる。この管３１は、全体的な熱交換器１０の通路１４内で、出口オリフィス１２の近くに位置する。管３１はＵ字形であり、第２のバーナ２２に届くように全体的な熱交換器１０の第１の側１５へと戻る。
【００４５】
この実施の形態において、第１の管３１および仕切り１３は、第１の燃焼後ガスＢ１と流体Ｆとが逆行にて流れるような方式で配置されている。
【００４６】
第１のバーナ２１における第１の燃焼の混合比は、第１のバーナ２１からの出口における第１の燃焼後ガスＢ１の温度Ｔ１が、装置１の材料の最大許容温度よりも低くなるように、調節される。この混合比は、化学量論ではなく、過剰な推進剤Ｅは、第１の燃焼後ガスＢ１中に残る。
【００４７】
第１の燃焼後ガス管３１を流れる第１の燃焼後ガスＢ１は、流体Ｆを気化させ、さらには過熱できるよう、流体Ｆに熱を伝える。したがって、第１の燃焼後ガスＢ１は、冷却され、第１のバーナ２１の出口からの温度Ｔ１よりも低い温度Ｔ１’で第２のバーナ２２に進入する。
【００４８】
第２のバーナ２２も、やはり全体的な熱交換器１０の第１の側１５に対して配置され、あるいは全体的な熱交換器１０の第１の側１５の付近に配置される。第２のバーナ２２は、第１のバーナ２１の近くに位置する。この第２のバーナ２２には、第１の燃焼後ガスＢ１と、制限された推進剤Ｌ（流れＬ２）とが供給される。この制限された推進剤Ｌの、第１の燃焼後ガスＢ１中に存在する残余の過剰な推進剤Ｅとの燃焼により、第２の燃焼後ガスＢ２が生成され、第２の燃焼後ガス管３２に送られる。第１の管３１に類似したこの第２の管３２は、第１の燃焼後ガス管３１の上流において全体的な熱交換器１０の通路１４内に配置され、第３のバーナ２３に届くように全体的な熱交換器１０の第１の側１５へと戻る。
【００４９】
第２のバーナ２２における第２の燃焼の混合比も、第２のバーナ２２への入口における第１の燃焼後ガスＢ１の温度Ｔ１’に鑑みて、第２のバーナ２２からの出口における第２の燃焼後ガスＢ２の温度Ｔ２が、装置１の材料の最大許容温度よりも低くなるように、調節される。この混合比は、化学量論ではなく、過剰な推進剤Ｅは、第２の燃焼後ガスＢ２中に依然として残る。
【００５０】
第２の燃焼後ガス管３２を流れる第２の燃焼後ガスＢ２は、流体Ｆを気化させることができるよう、流体Ｆに熱を伝える。したがって、第２の燃焼後ガスＢ２は、冷却され、第２のバーナ２２からの出口における温度Ｔ２よりも低い温度Ｔ２’で第３のバーナ２３へと進入する。
【００５１】
第３および第４のそれぞれの燃焼後ガス管３３，３４に組み合わせられる第３および第４のバーナ２３，２４は、燃焼後ガス中に過剰な推進剤Ｅが依然として残るため、第２のバーナ２２および第２の燃焼後ガス管３２と同様であり、第２のバーナ２２および第２の燃焼後ガス管３２と同じ方式で同じ目的のために機能する。
【００５２】
第５の最後のバーナ２５は、全体的な熱交換器１０の第１の側１５に対して配置され、あるいは全体的な熱交換器１０の第１の側１５の付近に配置される。第５のバーナ２５は、他のバーナと整列して第４のバーナ２４の近傍に位置する。第５のバーナ２５には、第４の燃焼後ガスＢ４および制限された推進剤Ｌ（流れＬ５）が供給される。この制限された推進剤Ｌの、第４の燃焼後ガスＢ４に存在する残余の過剰な推進剤Ｅとの燃焼により、第５の燃焼後ガスＢ５が生成され、第５の燃焼後ガス管３５に送られる。この第５の管３５は、必ずしもＵ字形でなくてもよく、第４の燃焼後ガス管３４の上流かつ全体的な熱交換器１０の入口オリフィス１１の近くで全体的な熱交換器１０の通路１４内に配置される。その後に、第５の管３５は、全体的な熱交換器１０から出て、放出オリフィス３５ａを介して第５の燃焼後ガスＢ５を放出する。
【００５３】
第５のバーナ２５への入口における第４の燃焼後ガスの温度Ｔ４’、および第４の燃焼後ガスＢ４中に残る過剰な推進剤Ｅのわずかな量に鑑みて、第５のバーナ２５における第５の燃焼の混合比を、装置１の材料の最大許容温度を超えることなく、化学量論の方式で調節することが可能である。このようにして、制限された推進剤Ｌおよび過剰な推進剤Ｅが完全に燃焼し、第５の燃焼後ガスＢ５中にはもはや過剰な推進剤が存在しない。
【００５４】
第５の燃焼後ガスＢ５は、第５の燃焼後ガス管３５に沿って流れ、流体Ｆを気化させることができるよう、流体Ｆへと熱を伝える。結果として、第５の燃焼後ガスＢ５は冷却され、放出オリフィス３５ａを介して全体的な熱交換器１０および装置１から出る。それは、発射装置の別の部分における何らかの特別な用途に供されることができ、特に、有利な点として、その衝撃または残りの温度を得ることができる。
【００５５】
図２は、上述の通りの燃焼後ガス管３１〜３５に設置することができる熱交換部材の実施の形態を示している。すなわち、螺旋状のフィン４０は、燃焼後ガス管３１の周囲に配置されている。螺旋状のフィン４０は、気化のための燃焼後ガスＢ１と流体Ｆとの間の熱交換面積を大きくする。さらに、流体Ｆを管３１の周りを回転させることで、管３１に接触して移動する経路の長さを増加させる。燃焼後ガス管３１〜３５の全長または全長のうちの一部分について、そのような螺旋状のフィン４０を設けることができる。
【００５６】
図３は、上述の燃焼後ガス管３１〜３５に設置することができる熱交換部材の別の実施の形態を示している。すなわち、放射状のフィン４００は、燃焼後ガス管３１に沿って配置されている。これらの放射状のフィン４００は、気化のための燃焼後ガスＢ１と流れる空気との間の熱交換面積を大きくする。任意の数のフィン４００は、所与の管３１の周囲に配置されることができ、それらは、随意により一定の角度の間隔で配置されることができる。燃焼後ガス管３１〜３５の全長または全長のうちの一部分について、そのような放射状のフィン４００を設けることができる。管３１〜３５のうちのいくつかに螺旋状のフィン４０を取り付け、他の管３１〜３５に放射状のフィン４００を取り付けることも可能である。
【００５７】
本明細書において上述した実施の形態または実施例は、本発明を限定するものではない例として提示されており、この説明に照らして、当業者であれば、本発明の範囲の中で、これらの実施の形態または実施例を容易に変更でき、あるいは他の実施の形態または実施例に容易に想到できる。
【００５８】
さらに、これらの実施の形態または実施例の種々の特徴を、単独で使用することができ、あるいは互いに組み合わせてもよい。組み合わせられる場合、特徴を上述の通りに組み合わせることも、あるいは他の方式で組み合わせることも可能であり、本発明は、本明細書に記載の特定の組み合わせに限られるわけではない。特には、そのようでないと指定されない限りは、ある特定の実施の形態または実施例に関連して説明された特徴を、何らかの他の実施の形態または実施例に同様の方式で適用することが可能である。
【図１】
0006033871.tif 000002
【図２】
0006033871.tif 000003
【図３】
0006033871.tif 000004